(57)【要約】【課題】文字入力を容易にする情報機器を提供する。【解決手段】情報機器の一態様である携帯電話１００は、制御部２００と、入力部２１０と、表示部２３０と、記憶部２４０とを備える。制御部２００は、入力部２１０からの出力に基づいて文書を作成する編集部２２０と、記憶部２４０に格納されているデータから、新たな入力に関連する情報を検索する検索部２５０と、記憶部２４０が入力に関連する情報を格納していない場合に、入力部２１０を介して新たに入力された当該データを、入力に基づくデータとして記憶部２４０に格納する候補登録部２６０と、検索部２５０による検索の結果に基づいて当該入力に関連する情報を表示部２３０に表示させる候補抽出部２７０と、複数の候補から指定された候補を選択する選択部２８０とを含む。【選択図】図２
2009175942.tif 000002
【特許請求の範囲】
【請求項１】
情報機器であって、
前記情報機器に対する入力を受け付ける入力装置と、
前記入力に基づくデータを格納する記憶装置と、
表示装置と、
前記入力に基づいて文書を作成する制御手段とを備え、
前記制御手段は、
前記入力に基づいて前記記憶装置に格納されているデータから、前記入力装置が新たに受け付けた入力に関連する情報を検索し、
前記検索の結果に基づいて、前記入力に関連する情報を前記表示装置に表示させる、情報機器。
【請求項２】
前記制御手段は、前記記憶装置に格納されている文字のコードと、前記入力装置が新たに受け付けた文字のコードとを比較することにより、前記入力に関連する情報を検索する、請求項１に記載の情報機器。
【請求項３】
前記入力装置が日時に関する入力を受け付けると、前記制御手段は、前記記憶装置から前記日時に関する情報を検索し、前記検索の結果に基づいて、前記日時に関する情報を前記表示装置に表示させる、請求項１または請求項２に記載の情報機器。
【請求項４】
前記記憶装置が前記日時に関する情報を格納している場合、前記制御手段は、前記日時に関する情報を前記表示装置に表示させる、請求項３に記載の情報機器。
【請求項５】
前記記憶装置が前記日時に関する情報を格納していない場合、前記制御手段は、前記入力装置を介して入力されたデータを、前記入力に基づくデータとして、前記記憶装置に格納する、請求項３または請求項４に記載の情報機器。
【請求項６】
前記日時に関する情報は、
日時を表わす数字と、
日時を表わす文字とのいずれかを含む、請求項３から請求項５のいずれか１項に記載の情報機器。
【請求項７】
前記入力装置が、日時を表わす数字の入力を受け付けると、前記制御手段は、前記記憶装置から、日時を表わす文字を検索する、請求項３から請求項５のいずれか１項に記載の情報機器。
【請求項８】
前記入力装置は、前記表示装置に表示された前記日時に関する情報を選択するための操作を受け付ける、請求項３から請求項７のいずれか１項に記載の情報機器。
【請求項９】
前記入力装置が文字の入力を受け付けると、前記制御手段は、入力された前記文字に関する情報を前記記憶装置において検索し、前記検索の結果に基づいて、前記文字に関する情報を前記表示装置に表示させる、請求項１〜８のいずれか１項に記載の情報機器。
【請求項１０】
前記記憶装置が前記文字に関する情報を格納している場合、前記制御手段は、前記文字に関する情報を前記表示装置に表示させる、請求項９に記載の情報機器。
【請求項１１】
前記記憶装置が前記文字に関する情報を格納していない場合、前記制御手段は、前記入力装置を介して入力されたデータを、前記入力に基づくデータとして、前記記憶装置に格納する、請求項９または請求項１０に記載の情報機器。
【請求項１２】
前記文字に関する情報は、主体を示す情報と、客体を示す情報と、場所を示す情報と、日時を示す情報と、理由を示す情報と、動作を示す情報とのいずれかを含む、請求項９から請求項１１のいずれか１項に記載の情報機器。
【請求項１３】
前記入力に基づくデータは、
前記情報機器によって受信されたメールと、
前記情報機器に登録されているスケジュールデータと、
作成された文書とのいずれかを含む、請求項１から請求項１２のいずれか１項に記載の情報機器。
【請求項１４】
前記制御手段は、前記入力装置を介して入力されたデータの変換候補として、検索した前記日時に関する情報を前記表示装置に表示させる、請求項１〜１３のいずれか１項に記載の情報機器。
【請求項１５】
表示装置を備える情報機器における文字の表示方法であって、前記情報機器は、前記情報機器に対する入力を受け付ける入力装置と、前記入力に基づくデータを格納する記憶装置と、前記入力に基づいて文書を作成する制御装置とを備えており、
前記表示方法は、
前記入力装置が、文字の入力を受け付けるステップと、
前記制御装置が、前記記憶装置に格納されているデータを読み出すステップと、
前記制御装置が、前記入力装置が新たに受け付けた入力に関連する情報を、読み出したデータから検索するステップと、
前記制御装置が、前記検索の結果に基づいて、前記入力に関連する情報を前記表示装置に表示させるステップとを含む、表示方法。
【請求項１６】
コンピュータを情報機器として機能させるためのプログラムであって、前記コンピュータは、プロセッサと、外部からのデータの入力を受け付ける入力装置と、入力されたデータを格納する記憶装置と、表示装置とを備えており、
前記プログラムは、前記コンピュータに、
文字の入力を受け付けるステップと、
前記記憶装置に格納されているデータを読み出すステップと、
前記入力装置が新たに受け付けた入力に関連する情報を、読み出したデータから検索するステップと、
前記検索の結果に基づいて、前記入力に関連する情報を前記表示装置に表示させるステップとを実行させる、プログラム。
【発明の詳細な説明】
【技術分野】
【０００１】
本発明は情報機器に関し、特に、文字の入力機能を有する情報機器に関する。
【背景技術】
【０００２】
一部の携帯電話その他の携帯情報機器では、音声発着信履歴やメール送受信履歴を記録し、活用する機能を備えている。当該携帯電話は、文字、図形等が表示可能な表示部と、携帯電話の動作を制御するプロセッサと、表示部への文字・図形表示を制御する表示ドライバーと、プログラムを記録したメモリと、プログラムの作業用データを保持する揮発メモリと、携帯電話の使用者によって作成されたデータ等を格納する不揮発メモリと、ボタン、ダイヤル、タッチパッドその他の入力装置と、バッテリと、無線電話通信のための通信回路とを備える。携帯電話は、基地局と通信することができる。
【０００３】
このような構成を有する携帯情報機器を用いて音声発信あるいはメール送信を行った際、逆に、音声着信を受け、あるいは、メール受信を行った際、当該携帯情報機器は、その日時や音声発信先、メール送信先、または音声着信元、メール送信元情報を不揮発メモリに記録する。携帯情報機器が、その記録を読み出すことにより、当該使用者は、音声発着信やメール送受信を行ったことを確認することができる。さらに、使用者は、その情報を不揮発メモリ上に記録されているアドレス帳への登録操作、その相手への音声発信、あるいは、メール送信を容易に行うことができる。
【０００４】
履歴に関し、特開２００５−２９２８９０号公報（特許文献１）は、カレンダー機能を利用することにより過去の履歴情報を得る技術を開示している。
また、特開２００４−１５２２７６号公報（特許文献２）は、使用者が行った以前の操作履歴に基づいて使用者が入力した特定操作に対し、次に適した操作を予測し、使用者による操作入力を支援して操作性向上を図る技術を開示している。
【特許文献１】特開２００５−２９２８９０号公報
【特許文献２】特開２００４−１５２２７６号公報
【発明の開示】
【発明が解決しようとする課題】
【０００５】
携帯型の情報機器は、電子メール、テキストエディタなどの文字の入力機能、編集機能を有するものがある。たとえば、携帯型の情報機器の１つである携帯電話の場合、文字の入力を１０キーで行なうため、入力に時間を要することになる。
【０００６】
また、特開２００５−２９２８９０号公報に開示された技術によると、過去の履歴情報を情報処理装置の機能の設定に用いることはできても、履歴情報を文字の入力に代替させることはできなかった。そのため、文字入力を簡易に実現することができなかった。
【０００７】
また、特開２００４−１５２２７６号公報に開示された技術によると、操作履歴に基づいて操作入力が支援されるが、文字の入力そのものは支援されなかった。
【０００８】
本発明は、上述のような問題点を解決するためになされたものであって、その目的は、文字入力を簡易に実現することができる情報機器を提供することである。本発明の他の目的は、文字の入力時間を短くできる情報機器を提供することである。
【０００９】
本発明の他の目的は、文字入力を簡易に実現することができる情報機器における表示方法を提供することである。他の目的は、文字の入力時間を短くできる文字の表示方法を提供することである。
【００１０】
本発明のさらに他の目的は、文字入力を簡易に実現することができる情報機器としてコンピュータを機能させるためのプログラムを提供することである。他の目的は、文字の入力時間を短くできる情報機器としてコンピュータを機能させるためのプログラムを提供することである。
【課題を解決するための手段】
【００１１】
上記の課題を解決するために、この発明のある局面に従う情報機器は、情報機器に対する入力を受け付ける入力装置と、入力に基づくデータを格納する記憶装置と、表示装置と、入力に基づいて文書を作成する制御手段とを備える。制御手段は、入力に基づいて記憶装置に格納されているデータから、入力装置が新たに受け付けた入力に関連する情報を検索し、検索の結果に基づいて、入力に関連する情報を表示装置に表示させる。
【００１２】
好ましくは、制御手段は、記憶装置に格納されている文字のコードと、入力装置が新たに受け付けた文字のコードとを比較することにより、入力に関連する情報を検索する。
【００１３】
好ましくは、入力装置が日時に関する入力を受け付けると、制御手段は、記憶装置から日時に関する情報を検索し、検索の結果に基づいて、日時に関する情報を表示装置に表示させる。
【００１４】
好ましくは、記憶装置が日時に関する情報を格納している場合、制御手段は、日時に関する情報を表示装置に表示させる。
【００１５】
好ましくは、記憶装置が日時に関する情報を格納していない場合、制御手段は、入力装置を介して入力されたデータを、入力に基づくデータとして、記憶装置に格納する。
【００１６】
好ましくは、日時に関する情報は、日時を表わす数字と、日時を表わす文字とのいずれかを含む。
【００１７】
好ましくは、入力装置が、日時を表わす数字の入力を受け付けると、制御手段は、記憶装置から、日時を表わす文字を検索する。
【００１８】
好ましくは、入力装置は、表示装置に表示された日時に関する情報を選択するための操作を受け付ける。
【００１９】
好ましくは、入力装置が文字の入力を受け付けると、制御手段は、入力された文字に関する情報を記憶装置において検索し、検索の結果に基づいて、文字に関する情報を表示装置に表示させる。
【００２０】
好ましくは、記憶装置が文字に関する情報を格納している場合、制御手段は、文字に関する情報を表示装置に表示させる。
【００２１】
好ましくは、記憶装置が文字に関する情報を格納していない場合、制御手段は、入力装置を介して入力されたデータを、入力に基づくデータとして、記憶装置に格納する。
【００２２】
好ましくは、文字に関する情報は、主体を示す情報と、客体を示す情報と、場所を示す情報と、日時を示す情報と、理由を示す情報と、動作を示す情報とのいずれかを含む。
【００２３】
好ましくは、入力に基づくデータは、情報機器によって受信されたメールと、情報機器に登録されているスケジュールデータと、作成された文書とのいずれかを含む。
【００２４】
好ましくは、制御手段は、入力装置を介して入力されたデータの変換候補として、検索した日時に関する情報を表示装置に表示させる。
【００２５】
この発明の他の局面に従うと、表示装置を備える情報機器における文字の表示方法が提供される。情報機器は、情報機器に対する入力を受け付ける入力装置と、入力に基づくデータを格納する記憶装置と、入力に基づいて文書を作成する制御装置とを備えている。この表示方法は、入力装置が、文字の入力を受け付けるステップと、制御装置が、記憶装置に格納されているデータを読み出すステップと、制御装置が、入力装置が新たに受け付けた入力に関連する情報を、読み出したデータから検索するステップと、制御装置が、検索の結果に基づいて、入力に関連する情報を表示装置に表示させるステップとを含む。
【００２６】
この発明の他の局面に従うと、コンピュータを情報機器として機能させるためのプログラムが提供される。コンピュータは、プロセッサと、外部からのデータの入力を受け付ける入力装置と、入力されたデータを格納する記憶装置と、表示装置とを備えている。このプログラムは、コンピュータに、文字の入力を受け付けるステップと、記憶装置に格納されているデータを読み出すステップと、入力装置が新たに受け付けた入力に関連する情報を、読み出したデータから検索するステップと、検索の結果に基づいて、入力に関連する情報を表示装置に表示させるステップとを実行させる。
【発明の効果】
【００２７】
本発明によると、情報機器における文字入力を簡易に実現することができる。また、本発明によると、文字の入力時間を短くできる。
【発明を実施するための最良の形態】
【００２８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２９】
＜第１の実施の形態＞
図１を参照して、本発明の第１の実施の形態に係る携帯型の情報機器の構成について説明する。図１は、携帯型の情報機器の一態様である携帯電話１００のハードウェア構成を表わすブロック図である。なお、本発明に係る情報機器は、携帯電話１００に限られず、ＰＤＡ（Personal  Digital  Assistant）その他の携帯型情報処理端末、パーソナルコンピュータその他の情報処理装置であってもよい。
【００３０】
携帯電話１００は、ＣＰＵ（Central  Processing  Unit）１１０と、入力装置１２０と、表示装置１３０と、表示ドライバ１３２と、スピーカ１３４と、マイク１３６と、ＲＯＭ（Read  Only  Memory）１４０と、通信回路１５０と、ＲＡＭ（Random  Access  Memory）１６０と、フラッシュメモリ１７０と、バッテリ１８０とを備える。携帯電話１００は通信回路１５０を介して基地局１９０と通信可能である。
【００３１】
ＣＰＵ１１０は、入力装置１２０によって受け付けられた入力に応答して、ＲＯＭ１４０、ＲＡＭ１６０またはフラッシュメモリ１７０に格納されているデータおよびプログラムに基づいて携帯電話１００の動作を制御する。
【００３２】
ある局面において、ＣＰＵ１１０は、当該入力に基づいて、通信回路１５０を介して基地局１９０に対する発信動作を実現する。また他の局面において、ＣＰＵ１１０は、基地局１９０によって発信された信号を通信回路１５０を介して受信する。その受信する信号は、電話のための信号と、電子メールの送受信のための信号と、基地局１９０を介してインターネットにアクセスするためのデータと、インターネットに接続されている情報提供事業者からダウンロードする情報とを含む。
【００３３】
入力装置１２０は、ある局面において、携帯電話１００の筐体に設けられたスイッチ、ボタン、タッチパネル、タッチパッドその他の入力インターフェイスとして実現される。また、他の局面において、入力装置１２０は、携帯電話１００が外部からデータの入力を受け付ける入力インターフェイスとしても実現される。
【００３４】
表示装置１３０は、ある局面において、液晶ディスプレイ、有機ＥＬ（Electro  Luminescence）ディスプレイその他の表示装置として実現される。ＣＰＵ１１０は、表示ドライバ１３２に対して描画命令を送信することにより、表示装置１３０における文字、画像その他の表示を実現する。
【００３５】
スピーカ１３４は、携帯電話１００が着信を受けた電話の呼出音、フラッシュメモリ１７０その他の記憶装置に格納されている音声データに基づく音声、あるいは、アラーム音を出力する。マイク１３６は、携帯電話１００に対する発話を受け付けて、当該発話に応じた信号をＣＰＵ１１０に送出する。ＣＰＵ１１０は、その音声信号に基づいて電話通信のための信号を生成し、生成した信号を通信回路１５０を介して送信する。
【００３６】
ＲＯＭ１４０は、携帯電話１００に対して予め設定された動作を実現するために予め準備されたデータおよびアプリケーションプログラムを格納している。なお、ＲＯＭ１４０は、ある局面において、電気的に書き換え可能なものであってもよい。
【００３７】
ＲＡＭ１６０は、ＣＰＵ１１０によって生成されたデータを一時的に保持する。フラッシュメモリ１７０は、携帯電話１００の使用者によって生成されたデータ、あるいは携帯電話１００の製造事業者によって生成されたデータを格納する。バッテリ１８０は、携帯電話１００の各ハードウェアに電力を供給する。
【００３８】
図２は、携帯電話１００によって実現される機能の構成を表わすブロック図である。携帯電話１００は、制御部２００と、入力部２１０と、表示部２３０と、記憶部２４０とを備える。制御部２００は、編集部２２０と、検索部２５０と、候補登録部２６０と、候補抽出部２７０と、選択部２８０とを含む。
【００３９】
入力部２１０は、携帯電話１００に対する命令の入力を受け付けるように構成されている。制御部２００は、入力部２１０からの出力に基づいて作動するように構成されている。表示部２３０は、制御部２００からの出力に基づいて画像を表示するように構成されている。記憶部２４０は、制御部２００からの出力に基づいてデータを格納するように構成されている。
【００４０】
より詳しくは、編集部２２０は、入力部２１０からの出力に基づいて文書を作成する。編集部２２０は、たとえば、テキストエディタ、あるいは文書作成ソフトとして実現される。編集部２２０は、単なる文書の作成、電子メールの作成、スケジュール帳あるいは電話帳などにおける項目の入力等を可能にする。
【００４１】
検索部２５０は、入力部２１０によって受け付けられた入力に基づいて、記憶部２４０に格納されているデータから、入力部２１０が新たに受け付けた入力に関連する情報を検索する。候補抽出部２７０は、検索部２５０による検索の結果に基づいて、当該入力に関連する情報を表示部２３０に表示させる。選択部２８０は、表示部２３０に表示されている変換候補から入力部２１０に対する操作によって選択された変換候補を特定する信号を候補抽出部２７０に送出する。候補抽出部２７０は、その信号に基づいて特定の変換候補を、表示部２３０の文字の入力領域に表示させる。
【００４２】
ある局面において、検索部２５０は、記憶部２４０に格納されている文字のコードと、入力部２１０が新たに受け付けた文字のコードとを比較することにより、当該入力に関連する情報を検索する。
【００４３】
他の局面において、入力部２１０が日時に関連する入力を受け付けると、検索部２５０は、記憶部２４０から当該日時に関連する情報を検索する。候補抽出部２７０は、その検索の結果に基づいて、当該日時に関連する情報を表示部２３０に表示させる。
【００４４】
好ましくは、記憶部２４０が当該日時に関連する情報を格納している場合、候補抽出部２７０は、その日時に関連する情報を表示部２３０に表示させる。一方、記憶部２４０が当該日時に関連する情報を格納していない場合、候補登録部２６０は、検索部２５０による検索の結果に応答して、入力部２１０を介して新たに入力された当該データを、入力に基づくデータとして記憶部２４０に格納する。これにより、次回以降、同じ文字が入力されると、候補抽出部２７０は、その日時に関連する情報を記憶部２４０から読み出すことができ、当該情報を変換候補として表示部２３０に表示させることができる。
【００４５】
好ましくは、日時に関連する情報は、日時を表わす数字と、日時を表わす文字との少なくともいずれかを含む。ある局面において、入力部２１０が、日時を表わす数字の入力を受け付けると、検索部２５０は、記憶部２４０から、当該日時を表わす文字を検索する。
【００４６】
他の局面において、入力部２１０は、表示部２３０に表示された当該日時に関連する情報を選択するための操作を受け付ける。
【００４７】
他の局面において、入力部２１０が文字の入力を受け付けると、検索部２５０は、入力された文字に関連する情報を記憶部２４０から検索する。候補抽出部２７０は、その検索の結果に基づいて、その文字に関連する情報を表示部２３０に表示させる。
【００４８】
好ましくは、記憶部２４０が当該文字に関連する情報を格納している場合、候補抽出部２７０は、その文字に関連する情報を表示部２３０に表示させる。一方、記憶部２４０が当該文字に関連する情報を格納していない場合、候補登録部２６０は、入力部２１０を介して入力された文字を、当該入力に基づくデータとして記憶部２４０に格納する。
【００４９】
好ましくは、文字に関連する情報は、主体を表わす情報と、客体を示す情報と、場所を示す情報と、日時を示す情報と、理由を示す情報と、動作を示す情報とのいずれかを含む。入力に基づくデータは、たとえば、携帯電話１００によって受信されたメールと、携帯電話１００に登録されているスケジュールデータと、携帯電話１００の使用者によって作成された文書（未送信のメールを含む）とのいずれかであるが、他のデータもあり得る。
【００５０】
ある局面において、候補抽出部２７０は、入力部２１０を介して入力されたデータの変換候補として、検索部２５０によって検索された日時に関連する情報を表示部２３０に表示させる。たとえば、表示部２３０は、複数の項目のいずれかを選択可能な態様で当該日時に関連する情報を表示する。
【００５１】
［データ構造］
以下、図３から図７を参照して、本実施の形態に係る携帯電話１００のデータ構造について説明する。図３は、ＲＯＭ１４０におけるデータの格納の一態様を概念的に表わす図である。ＲＯＭ１４０は、たとえば携帯電話１００の製造事業者によって準備されたデータを格納している。
【００５２】
より詳しくは、ＲＯＭ１４０は、辞書３１０と、文書作成プログラム３２０と、通信制御プログラム３３０と、オペレーティングシステム３４０とを格納している。辞書３１０は、携帯電話１００によって実現される文書入力機能を実現するために予め準備されたものである。辞書３１０は、たとえばワープロ文書作成ソフトに用いられるかな漢字変換のための辞書に相当する。
【００５３】
文書作成プログラム３２０は、携帯電話１００を文書作成装置（いわゆるエディタ）として機能させる。ＣＰＵ１１０は、文書作成プログラム３２０を実行すると、辞書３１０を参照しながら、携帯電話１００に与えられた入力に応じて文字列をＲＡＭ１６０に書き込む。
【００５４】
送信制御プログラム３３０は、ＣＰＵ１１０と通信回路１５０との通信のための処理を実現する。
【００５５】
オペレーティングシステム３４０は、携帯電話１００の基本的な動作を実現する。図３に示されるデータおよびプログラムは、書き換えることができないが、他の局面において、更新可能な構成であってもよい。
【００５６】
図４は、フラッシュメモリ１７０におけるデータの格納の一態様を概念的に表わす図である。フラッシュメモリ１７０は、携帯電話１００の使用者によって生成されたデータ、および携帯電話１００が外部から受信したデータを格納している。
【００５７】
より詳しくは、フラッシュメモリ１７０は、第１の使用者作成ファイル４１０と、第２の使用者作成ファイル４２０などと、使用者登録辞書４３０とを格納している。第１の使用者作成ファイル４１０および第２の使用者作成ファイル４２０は、たとえば、携帯電話１００の使用者が作成した送信のためのメールであり、あるいは、当該使用者のスケジュールデータであり、さらには、当該エディタをメモ帳代わりに作成したテキスト文書である。
【００５８】
使用者登録辞書４３０は、入力装置１２０を介して入力された文字を使用者が辞書データとして登録した語句を含む。より詳しくは、ある局面において、使用者登録辞書４３０は、日時に関連する情報と、文字に関連する情報とを含む。当該文字に関連する情報は、前述のとおり、主体を示す情報と、客体を示す情報と、場所を示す情報と、日時を示す情報と、理由を示す情報と、動作を示す情報とを含む。
【００５９】
図５は、使用者登録辞書４３０の詳細を表わす図である。使用者登録辞書４３０は、登録語句５１０と、登録語句５１０に関連付けられる属性５２０とを含む。使用者登録辞書４３０は、さらに、登録キーワード５３０と、属性５４０，５５０，５６０とを含む。各属性は、登録キーワード５３０に関連付けられている。
【００６０】
たとえば、登録語句５１０のうち「ｋｉｎｏｕ」は、漢字の「昨日」を示す。この登録語句「ｋｉｎｏｕ」は、属性ｗｈｅｎ（＝日時）に関連付けられている。すなわち、携帯電話１００の使用者が入力装置１２０を操作してローマ字入力として英文字列「ｋｉｎｏｕ」を順次入力した場合、属性ｗｈｅｎに関連付けられた登録語句５１０が入力されたものと特定され得る。
【００６１】
属性５２０は、日時を示す属性（ｗｈｅｎ）と、主体を示す属性（ｗｈｏ）と、場所を示す属性（ｗｈｅｒｅ）と、客体を示す属性（ｗｈａｔ）と、理由を示す属性（ｗｈｙ）と、動作を示す属性（ｈｏｗ）とを含む。
【００６２】
図５を再び参照して、登録キーワード５３０は、複数の属性が関連付けられ得る。たとえば、登録キーワード「おでかけ」は、場所を示す属性（ｗｈｅｒｅ）と、動作を示す属性（ｈｏｗ）とに関連付けられている。したがって、この登録キーワード「おでかけ」が入力されると、２つの属性（場所、動作）が特定される。同様に、登録キーワード「会議」の場合には、３つの属性が特定されることになる。
【００６３】
図６は、フラッシュメモリ１７０におけるデータの格納の一態様を概念的に表わす図である。図６に示されるデータ構造は、携帯電話１００の使用者が入力装置１２０を操作して文字を入力したときに生成される。
【００６４】
より詳しくは、フラッシュメモリ１７０は、番号６１０と、入力されている文字列６２０と、テキスト情報の種類６３０とを格納している。番号６１０は、当該使用者が文字列の入力を行なうたびにＣＰＵ１１０によって逐次番号が与えられるものである。入力されている文字列６２０は、入力装置１２０の操作によって現実に入力された文字列を表わす。テキスト情報の種類６３０は、携帯電話１００の動作モードに応じて、前述の入力されている文字列の入力を受け付けたアプリケーションに応じてＣＰＵ１１０によって設定される。
【００６５】
たとえば番号６１０が「０１」である文字列「コンビニでおにぎりを買った」は、テキスト情報の種類６３０として「日記」に関連付けられている。また、携帯電話１００がカメラを備えている場合、当該撮影の記録のための文字列も入力可能である。この場合、番号「０２」に示されるように、文字列「広島県東広島市八本松で写真を撮影」というものが入力されている。この場合、カメラの撮影によって生成された写真の説明であることを示す情報が属性として種類６３０に関連付けらている。
【００６６】
また、携帯電話１００の使用者がインターネットサイトから音楽をダウンロードすることもあり得る。この場合、番号「０３」に示されるように、ダウンロードの履歴を示す情報として文字列「音楽サイトＡＢＣから楽曲ＸＹＺをダウンロード」がＣＰＵ１１０によって生成される。あるいは、携帯電話１００の使用者が入力装置１２０を用いて入力してもよい。このとき、通信回路１５０の動作によって得られる履歴情報が楽曲ＸＹＺのダウンロードの履歴として種類６３０に関連付けられる。
【００６７】
携帯電話１００がスケジュール管理機能を有している場合、当該使用者は、入力装置１２０を介してスケジュール情報を入力することができる。ＣＰＵ１１０は、その入力されたスケジュール情報をフラッシュメモリ１７０に格納する。この場合、番号「０４」に示されるように、文字列「Ｄ社と打合せ／１３時」が入力される。
【００６８】
また、携帯電話１００が電子メールを受信した場合には、そのメールもフラッシュメモリ１７０に格納される。たとえば、番号「０５」に示されるように、そのメールの件名と本文とが文字列「パーティの件／昨日のパーティ楽しかったね…」として保存される。この場合、その文字列の種類は「受信メール」として分類される。
【００６９】
図７は、フラッシュメモリ１７０におけるデータの格納の一態様を概念的に表わす図である。図６に示されるデータと図７に示されるデータとの違いは、図６に示されるデータが過去に関連するデータであるという点である。一方、図７に示されるデータは、未来に関連するデータに対応する。
【００７０】
より詳しくは、フラッシュメモリ１７０は、番号７１０と、入力されている文字列７２０と、テキスト情報の種類７３０とを格納している。たとえば番号「０１」については、文字列「広島でコンサート」が格納されている。この文字列は、テキスト情報の種類７３０として「スケジュール帳」が関連付けられている。同様に、番号「０２」については、文字列「明日のパーティの件／明日のパーティは１８時からです…」が格納されている。この文字列は、「未送信メール」として属性が関連付けられている。
【００７１】
図６および図７に示される構成により、入力された文字が日時に関連する情報であって、過去に関連するものである場合には、図６に示される領域から変換候補となる文字列を検索することができる。一方、新たに入力される文字列が未来に関連するものである場合には、図７に示される領域から変換候補が検索される。なお、図６および図７に示されるデータは、過去および未来によって明確に区分されている必要はなく、逐次格納される態様であってもよい。
【００７２】
［制御構造］
図８および図９を参照して、本実施の形態に係る携帯電話１００の制御構造について説明する。図８は、ＣＰＵ１１０が実行する一連の動作の一部を表わすフローチャートである。
【００７３】
ステップＳ８１０にて、ＣＰＵ１１０は、入力装置１２０から出力される信号に基づいて、携帯電話１００の動作モードの切り換えを検知する。動作モードの切り換えは、たとえば、待ち受けモードから編集モード、撮影モード、メール作成モード、スケジュール入力モード、楽曲ダウンロードモード、ワンセグ視聴モード等への切り換えを含む。なお、動作モードの切り換えが行なわれる前のモードは、待ち受けモードに限られない。
【００７４】
ステップＳ８２０にて、ＣＰＵ１１０は、携帯電話１００に対する入力操作又は携帯電話１００の動作を検知する。入力操作の検知は、たとえば、入力装置１２０からの信号に基づいて行なわれる。また、文字、数字、記号などが入力された場合には、それらも併せて読み取られる。携帯電話１００の動作の検知は、たとえば、ＣＰＵ１１０自身が出力した命令の内容を読み取ることにより行なわれる。また、携帯電話１００が通信により電子メール、楽曲などを受信した場合には、受信の日時、通信相手、アドレス等の情報が合わせて読み取られる。
【００７５】
より詳しくは、携帯電話１００の動作としては、たとえば以下のような動作がある。
（１）ＷＥＢ（World  Wide  Web）サイトへのアクセスを行った際のＵＲＬ（Uniform  Resource  Locator）情報
（２）ＷＥＢサイトからコンテンツをダウンロードした際のＵＲＬ情報、および／又はダウンロードしたコンテンツ情報
（３）ブログ作成などの目的でＷＥＢサイトにデータをアップロードした際のアドレスやアップロードしたデータの情報等
（４）ＷＥＢサイトからコンテンツ、あるいはサービスを購入した際の当該コンテンツ、当該サービスを示す情報等
（５）写真を撮影した際の撮影日時、撮影場所（ＧＰＳ（Global  Positioning  System）装置など殻の信号に基づいて取得した位置情報等）、撮影した画像データの情報（明るさ、撮影モード等）
（６）移動した際にＧＰＳ装置などから位置情報を取得し、記録すること
（７）テレビやラジオ視聴、録画、録音を行った際の時刻あるいは番組情報
（８）ＵＳＢ（Universal  Serial  Bus），ＩｒＤＡ（Infrared  Data  Association）デバイスなどを用いてデータ転送を行ったこと
（９）画像編集、テキストメモ作成、などのデータ作成、編集を行ったこと
（１０）コンテンツ視聴、再生を行ったこと
（１１）スケジュール、ＴｏＤｏリストの編集、登録を行ったこと
（１２）アドレス帳登録、編集を行ったこと
（１３）赤外線通信などで電話番号やメールアドレスを交換したこと
（１４）非接触ＩＣ（Integrated  Circuit）技術を使用する電子マネーで買い物を行ったこと
（１５）音声着信、発信を行なったこと
（１６）メール送信、受信を行ったこと
（１７）ボイスメモ、レコーダで録音したこと。
【００７６】
ステップＳ８３０にて、ＣＰＵ１１０は、入力装置１２０からの出力に基づいて、保存の命令が入力されたか否かを判定する。ＣＰＵ１１０は、保存の命令が入力されたと判定すると（ステップＳ８３０にてＹＥＳ）、制御をステップＳ８４０に切り換える。そうでない場合には（ステップＳ８３０にてＮＯ）、ＣＰＵ１１０は、制御をステップＳ８２０に戻す。
【００７７】
ステップＳ８４０にて、ＣＰＵ１１０は、操作の履歴または動作の履歴をフラッシュメモリ１７０に保存する。さらに、文字が入力された場合、あるいは文字情報がＣＰＵ１１０に取得された場合には、文字データがフラッシュメモリ１７０に蓄積される（図６または図７）。
【００７８】
図９は、変換候補の検索のためにＣＰＵ１１０が実行する一連の動作の一部を表わすフローチャートである。この処理は、携帯電話１００が動作モードである場合において入力装置１２０が新たな文字の入力を受け付けたときに実行される。
【００７９】
ステップＳ９１０にて、ＣＰＵ１１０は、入力装置１２０からの出力に基づいて文字の入力を受け付ける。ステップＳ９１２にて、ＣＰＵ１１０は、辞書３１０を参照して、文字変換処理を実行する。ステップＳ９１４にて、ＣＰＵ１１０は、変換処理の結果に基づいて、通常の文字の変換候補をリストアップする。ＣＰＵ１１０は、そのリストアップした変換候補をＲＡＭ１６０において確保した領域に書き込む。
【００８０】
ステップＳ９３０にて、ＣＰＵ１１０は、その変換する語句が日時に関連しているか否かを判定する。この判定は、たとえば、図５に示される使用者登録辞書４３０の内容と、入力された文字のコードとを比較することにより行なわれる。ＣＰＵ１１０は、その語句が日時に関連していると判定すると（ステップＳ９３０にてＹＥＳ）、制御をステップＳ９３２に切り換える。そうでない場合には（ステップＳ９３０にＮＯ）、ＣＰＵ１１０は、制御をステップＳ９５０に切り換える。
【００８１】
ステップＳ９３２にて、ＣＰＵ１１０は、フラッシュメモリ１７０に格納されている使用者操作、情報機器動作の記録から、当該日時に関連するデータの記録を検索する。
【００８２】
ステップＳ９４０にて、ＣＰＵ１１０は、当該検索の結果に基づいて、当該項目が存在するか否かを判定する。ＣＰＵ１１０は、当該項目が存在すると判定すると（ステップＳ９４０にてＹＥＳ）、制御をステップＳ９４２に切り換える。そうでない場合には（ステップＳ９４０にてＮＯ）、ＣＰＵ１１０は、制御をステップＳ９５０に切り換える。
【００８３】
ステップＳ９４２にて、ＣＰＵ１１０は、該当項目を変換候補に追加するために、ＲＡＭ１６０に該当項目を書き込む。
【００８４】
ステップＳ９５０にて、ＣＰＵ１１０は、ＲＡＭ１６０に格納されているデータに基づいて変換候補を表示装置１３０に表示する。より具体的には、ＣＰＵ１１０は、ＲＡＭ１６０からデータを読み出し、その読み出したデータを表示ドライバ１３２に与える。表示ドライバ１３２は、そのデータを表示装置１３０に出力する。この場合、表示装置１３０は、表示領域において選択可能な態様で各項目を列挙する。
【００８５】
ステップＳ９６０にて、ＣＰＵ１１０は、入力装置１２０からの出力に基づいて、携帯電話１００の使用者が行なった変換候補からの選択を受け付ける。より詳しくは、当該使用者が入力装置１２０（たとえばカーソル移動ボタンあるいは数字ボタン）を操作して複数の変換候補の選択操作を実行すると、その選択された項目に対応する信号が入力装置１２０からＣＰＵ１１０に与えられる。ＣＰＵ１１０は、選択の確定の入力に基づいて、特定の項目が選択されたことを検知する。
【００８６】
ステップＳ９７０にて、ＣＰＵ１１０は、入力装置１２０に対して行なわれた選択の確定の入力に基づいて、変換候補から選択された項目を文書の編集のための領域に表示する。
【００８７】
［表示態様］
図１０および図１１を参照して、本実施の形態に係る携帯電話１００における画面の表示態様について説明する。図１０は、文字列「きのう」が入力されて入力装置１２０のうちの変換キー（図示しない）が押下された場合における表示装置１３０における画面の表示態様を表わす図である。
【００８８】
表示装置１３０は、表示領域として文字の入力を受け付ける領域１０１０と、文字の変換候補を表示する領域１０２０とを含む。具体的には、使用者が「きのう」と入力すると、その文字は、領域１０１０に表示され、変換の入力を促す態様（たとえばプロンプトの点滅）で表示される。その状態で入力装置１２０の操作によって変換の命令が携帯電話１００に与えられると、表示装置１３０は、ＣＰＵ１１０の命令に基づいて、変換候補を領域１０２０に表示する。図１０に示される例では、「きのう」の変換候補として、１）機能、２）昨日、３）コンビニでおにぎりを買った、４）広島県東広島市八本松で写真を撮影、５）音楽サイトＡＢＣから楽曲ＸＹＺをダウンロード、６）Ｄ社と打合せ／１３時、７）パーティの件／機能のパーティ楽しかったね…などがリストアップされる。
【００８９】
図１１は、文字「あした」が入力された場合における表示装置１３０における表示態様を表わす図である。図１０の場合と同様に使用者が入力装置１２０を操作して文字「あした」を入力して、変換の命令を与えると、表示装置１３０は、領域１０２０に変換候補を表示する。
【００９０】
図１１に示される例では、変換候補は、１）明日、２）広島でコンサート、３）明日のパーティの件／明日のパーティは１８時からです…などを含む。この状態で、当該使用者は、入力装置１２０を操作して変換候補のいずれかを選択することができる。たとえば入力装置１２０の１つである数字ボタンを押下することにより、あるいはカーソル移動キー（図示しない）を押下することにより、いずれかの変換候補を選択することができる。その選択が完了すると（使用者が確定ボタン（図示しない）を押下すると）、その候補が領域１０１０に反映される。
【００９１】
以上のようにして、本発明の第１の実施の形態に係る携帯電話１００の使用者は、メール、日記やメモなどの文章の入力中に、今日あった出来事、昨日あった出来事などの入力を容易に行うことができる。また、当該使用者は、メールやブログなどの文章の入力中に、写真を撮った、買い物をした、などの出来事を簡単に入力できる。そして、当該使用者は、その際の写真を公開したり、買い物したものを友達に紹介したりすることができる。
【００９２】
なお、変換候補は、過去に入力された文字に限られず、前述のように、携帯電話１００の動作を示す情報（動作日時、ＵＲＬ、位置情報など）であってもよい。
【００９３】
＜第２の実施の形態＞
図１２から図１５を参照して、本発明の第２の実施の形態について説明する。本実施の形態に係る携帯電話１００は、日時に関連する情報に限られず、入力された語句に関連する文字を変換候補として検索できる機能を有する点で、前述の第１の実施の形態と異なる。なお、本実施の形態に係る携帯電話は、第１の実施の形態に係る携帯電話と同一のハードウェア構成を用いて実現される。それらの機能も同じである。したがって、ここでは同じ説明は繰返さない。
【００９４】
図１２は、本実施の形態に係る携帯電話１００のフラッシュメモリ１７０におけるデータの格納の一態様を概念的に表わす図である。フラッシュメモリ１７０は、使用者によって入力された文字列を格納している。当該文字列は属性に関連付けられている。より詳しくは、フラッシュメモリ１７０は、番号１２１０と、入力されている文字列１２２０と、テキスト情報の種類１２３０とを格納している。たとえば、番号「０１」の文字列「広島でコンサート」は、属性として「スケジュール帳」に関連付けられている。他の番号に対応する文字列も同様である。
【００９５】
［制御構造］
図１３および図１４を参照して、本実施の形態に係る携帯電話１００の制御構造について説明する。図１３および図１４は、ＣＰＵ１１０が実行する一連の動作の一部を表わすフローチャートである。なお、第１の実施の形態における処理と同一の処理には同一のステップ番号を付してある。したがって、それらの説明は繰り返さない。
【００９６】
ステップＳ１４００にて、ＣＰＵ１１０は、後述する検索処理を実行する。この処理が実行されると、入力された文字に関連する文字列が検索される。
【００９７】
図１４を参照して、ステップＳ１４１０にて、ＣＰＵ１１０は、入力装置１２０からの出力に基づいて、変換の命令の入力を検知する。ステップＳ１４２０にて、ＣＰＵ１１０は、その入力された変換対象となる文字のコードを抽出し、ＲＡＭ１６０に書き込む。
【００９８】
ステップＳ１４３０にて、ＣＰＵ１１０は、保存されている文字列をフラッシュメモリ１７０から読み出す（図１２）。ＣＰＵ１１０は、その読み出した文字列を、ＲＡＭ１６０に書き込む。
【００９９】
ステップＳ１４４０にて、ＣＰＵ１１０は、その読み出した文字列のコードと、変換対象となるコードとを比較する。ステップＳ１４５０にて、ＣＰＵ１１０は、同一のコードを含む文字列に変換候補であることを示すフラグを設定する。当該フラグは、その文字列に関連付けられてＲＡＭ１６０に格納される。
【０１００】
図１３を再び参照して、ステップＳ９４０にて、ＣＰＵ１１０は、ステップＳ１４００における検索処理の結果に基づいて、入力された文字に該当する項目がフラッシュメモリ１７０に存在するか否かを判定する。ＣＰＵ１１０は、その文字がフラッシュメモリ１７０に存在すると判定すると（ステップＳ９４０にてＹＥＳ）、制御をステップＳ９４２に切り換える。そうでない場合には（ステップＳ９４０にてＮＯ）、ＣＰＵ１１０は制御をステップＳ９５０に切り換える。その後、ＣＰＵ１１０は、第１の実施の形態における処理と同様の処理を行ない、表示装置１３０に入力された文字の変換候補を表示し（ステップＳ９５０）、さらに、入力装置１２０からの出力に基づいて、いずれかの変換候補が選択されたことを検知する（ステップＳ９６０）。
【０１０１】
［表示態様］
図１５を参照して、本実施の形態に係る携帯電話１００の画面の表示態様について説明する。図１５は、文字列「おでかけ」が入力された後に変換候補を表示する画面を表わす図である。より詳しくは、表示装置１３０は、入力装置１２０に対する操作に基づいて入力された文字「おでかけ」を領域１０１０に表示する。この場合、表示装置１３０は、ＣＰＵ１１０の制御に基づいて、その文字列「おでかけ」が変換の対象であることを示す表示と、変換候補の決定のための入力を促すプロンプトとを表示する。
【０１０２】
携帯電話１００の使用者が入力装置１２０を操作して変換の命令を携帯電話１００に与えると、表示装置１３０は、ＣＰＵ１１０からの命令に基づいて検索された変換候補を領域１０２０に表示する。この変換候補は、たとえば、１）広島でコンサート、２）コンビニでおにぎりを買った、３）広島県東広島市八本松で写真を撮影、４）音楽サイトＡＢＣから楽曲ＸＹＺをダウンロード、５）Ｄ社で打合せ／１３時、６）明日のパーティの件／明日のパーティは１８時からです。。。である。さらに、画面のスクロール機能により、次の画面に表示されてもよい。この場合領域１０２０から明らかなように、変換候補は、日時に関する情報のみならず、場所あるいは動作を示す情報をも含む。
【０１０３】
当該使用者が領域１０２０の変換候補を選択すると、選択された文字列が、領域１０１０に表示される。使用者は、この文字列を用いて文字の入力を続けることができる。
【０１０４】
以上のようにして、本発明の第２の実施の形態に係る携帯電話１００によると、入力された文字に関連付けられる文字が変換候補として表示装置１３０に表示される。したがって、使用者は、全ての文字を入力することなく過去に入力した文字を用いて文書を編集することができる。
【０１０５】
以上詳述した、本発明のある局面に従う情報機器は、携帯電話１００として実現されるものに留まらず、周知の構成を有するコンピュータシステムを用いても実現することができる。
【０１０６】
そこで、図１６を参照して、本発明の実施の形態に係る情報機器を実現するコンピュータシステム１６００について説明する。図１６は、コンピュータシステム１６００のハードウェア構成を表わすブロック図である。コンピュータシステム１６００は、主たる構成として、命令を実行するＣＰＵ（Central  Processing  Unit）１６１０と、コンピュータシステム１６００の使用者による指示の入力を受け付けるマウス１６２０およびキーボード１６３０と、ＣＰＵ１６１０によるプログラムの実行により生成されたデータ、または、マウス１６２０若しくはキーボード１６３０を介して入力されたデータを一時的に（揮発的に）格納するＲＡＭ１６４０と、データを不揮発的に格納するハードディスク１６５０と、ＣＤ（Compact Disk）−ＲＯＭその他の光ディスクを駆動する光ディスク駆動装置１６６０と、モニタ１６８０と、通信Ｉ／Ｆ（Interface）１６９０とを含む。各構成要素は、データバスに接続されている。光ディスク駆動装置１６６０には、ＣＤ−ＲＯＭその他の光ディスク１６６２が装着可能である。
【０１０７】
コンピュータシステム１６００における処理は、ハードウェアおよびＣＰＵ１６１０により実行されるソフトウェアによって実現される。このようなソフトウェアは、ハードディスク１６５０に予め格納されている場合がある。また、ソフトウェアは、ＣＤ−ＲＯＭ１６６２その他のデータ記録媒体に格納されて、プログラム製品として流通している場合もある。あるいは、ソフトウェアは、いわゆるインターネットに接続されている情報提供事業者が運営管理するサーバ装置によってダウンロード可能なプログラム製品として提供される場合もある。このようなソフトウェアは、光ディスク駆動装置１６６０その他の読取装置によりそのデータ記録媒体から読み取られた後、あるいは、通信Ｉ／Ｆ１６８０を介してダウンロードされた後、ハードディスク１６５０に一旦格納される。そのソフトウェアは、ＣＰＵ１６１０によってハードディスク１６５０から読み出され、実行可能なプログラムの形式でＲＡＭ１６４０に格納される。ＣＰＵ１６１０は、そのプログラムを実行する。
【０１０８】
図１６に示されるコンピュータシステム１６００のハードウェア構成は、一般的なものである。したがって、本発明の最も本質的な部分は、ＲＡＭ１６４０、ハードディスク１６５０、ＣＤ−ＲＯＭ１６６２その他のデータ記録媒体に格納されたプログラム、あるいはネットワークを介してダウンロード可能なプログラウであるともいえる。なお、コンピュータシステム１６００の各ハードウェアの動作は周知であるので、詳細な説明は繰り返さない。
【０１０９】
なお、記録媒体としては、ＲＡＭ１６４０、ハードディスク１６５０、ＣＤ−ＲＯＭ１６６２に限られず、ＦＤ（Flexible  Disk）、磁気テープ、カセットテープ、光ディスク（ＭＯ（Magnetic  Optical  Disc）／ＭＤ（Mini  Disc）／ＤＶＤ（Digital  Versatile  Disc））、ＩＣ（Integrated  Circuit）カード（メモリカードを含む）、光カード、マスクＲＯＭ、ＥＰＲＯＭ（Erasable,  Programmable  Read-Only  Memory）、ＥＥＰＲＯＭ（Electronically  Erasable  Programmable  Read-Only  Memory）、フラッシュＲＯＭなどの半導体メモリ等の固定的にプログラムを担持する媒体でもよい。
【０１１０】
ここでいうプログラムとは、ＣＰＵにより直接実行可能なプログラムだけでなく、ソースプログラム形式のプログラム、圧縮処理されたプログラム、暗号化されたプログラム等を含む。
【０１１１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１１２】
【図１】本発明の第１の実施の形態に係る携帯型の情報機器の一態様である携帯電話１００のハードウェア構成を表わすブロック図である。
【図２】携帯電話１００によって実現される機能の構成を表わすブロック図である。
【図３】図３は、ＲＯＭ１４０におけるデータの格納の一態様を概念的に表わす図である。
【図４】フラッシュメモリ１７０におけるデータの格納の一態様を概念的に表わす図（その１）である。
【図５】フラッシュメモリ１７０に格納されている使用者登録辞書４３０の詳細を表わす図である。
【図６】フラッシュメモリ１７０におけるデータの格納の一態様を概念的に表わす図（その２）である。
【図７】フラッシュメモリ１７０におけるデータの格納の一態様を概念的に表わす図（その３）である。
【図８】携帯電話１００が備えるＣＰＵ１１０が実行する一連の動作の一部を表わすフローチャートである。
【図９】変換候補の検索のためにＣＰＵ１１０が実行する一連の動作の一部を表わすフローチャートである。
【図１０】文字列「きのう」が入力されて入力装置１２０のうちの変換キーが押下された場合における表示装置１３０における画面の表示態様を表わす図である。
【図１１】文字列「あした」が入力された場合における表示装置１３０における表示態様を表わす図である。
【図１２】本発明の第２の実施の形態に係る携帯電話１００のフラッシュメモリ１７０におけるデータの格納の一態様を概念的に表わす図である。
【図１３】ＣＰＵ１１０が実行する一連の動作の一部を表わすフローチャート（その１）である。
【図１４】ＣＰＵ１１０が実行する一連の動作の一部を表わすフローチャート（その２）である。
【図１５】文字列「おでかけ」が入力された後に変換候補を表示する画面を表わす図である。
【図１６】本発明の実施の形態に係る情報機器を実現するコンピュータシステム１６００のハードウェア構成を表わすブロック図である。
【符号の説明】
【０１１３】
１００  携帯電話、１１０  ＣＰＵ、１３０  表示装置。
【図１】
2009175942.tif 000003
【図２】
2009175942.tif 000004
【図３】
2009175942.tif 000005
【図４】
2009175942.tif 000006
【図５】
2009175942.tif 000007
【図６】
2009175942.tif 000008
【図７】
2009175942.tif 000009
【図８】
2009175942.tif 000010
【図９】
2009175942.tif 000011
【図１０】
2009175942.tif 000012
【図１１】
2009175942.tif 000013
【図１２】
2009175942.tif 000014
【図１３】
2009175942.tif 000015
【図１４】
2009175942.tif 000016
【図１５】
2009175942.tif 000017
【図１６】
2009175942.tif 000018